(57)【要約】【課題】電子機器装置において、少ない操作回数で下位の階層のメニューを表示させることができるようにする。【解決手段】電子機器装置である光ディスクレコーダ１は、光ディスクレコーダ本体３と、操作手段であるリモコン４とを備える。光ディスクレコーダ本体３は、ユーザによるリモコン４の操作に基いて、メニューを表示する。メニューには、第１階層のメニューと、複数の第２階層のメニューと、複数の第３階層のメニューとがある。光ディスクレコーダ本体３は、リモコン４の短縮キーの操作に、複数の第２階層のメニュー及び複数の第３階層メニューのうち、ユーザの指定したメニューであるユーザ指定メニューを表示させるための操作を割当てる。そして、光ディスクレコーダ本体３は、ユーザによりリモコン４の短縮キーが操作されると、短縮キーの操作に割当てられた操作に対応する動作を実行して、ユーザ指定メニューを表示する。【選択図】図１
2012123502.tif 000002
【特許請求の範囲】
【請求項１】
本装置の動作を指示するためにユーザにより操作される操作手段と、ユーザによる前記操作手段の操作に基いて、本装置の動作を指示するための操作をユーザに案内するメニューを表示するメニュー表示手段とを備え、
前記メニュー表示手段により表示されるメニューには、ユーザにより前記操作手段のメニューキーが操作されたときに表示される第１階層のメニューと、前記第１階層のメニューが表示されているときにおいて、ユーザにより前記操作手段に対して所定の操作がされたときに表示される複数の第２階層のメニューと、前記第２階層のメニューが表示されているときにおいて、ユーザにより前記操作手段に対して所定の操作がされたときに表示される複数の第３階層のメニューとがある電子機器装置において、
前記操作手段は、前記第２階層のメニュー又は前記第３階層のメニューを表示させるための操作を短縮して行うためにユーザに操作される短縮キーを有し、
ユーザによる前記操作手段の操作に基いて、前記短縮キーの操作に、前記複数の第２階層のメニュー及び前記複数の第３階層メニューのうち、ユーザの指定したメニューであるユーザ指定メニューを表示させるための操作を割当てる操作割当手段を備え、
前記メニュー表示手段は、ユーザにより前記短縮キーが操作されると、前記操作割当手段により前記短縮キーの操作に割当てられた操作に対応する動作を実行して、前記ユーザ指定メニューを表示する、
ことを特徴とする電子機器装置。
【請求項２】
前記メニュー表示手段は、ユーザによる前記操作手段の操作に基いて、前記操作割当手段による操作の割当てを指示するための操作をユーザに案内する操作割当メニューを表示し、
前記操作割当手段は、前記操作割当メニューが表示されているときに、ユーザにより前記操作手段が前記操作割当メニューに従って操作されると、その操作に基いて、前記短縮キーの操作に、前記ユーザ指定メニューを表示させるための操作を割当てる、
ことを特徴とする請求項１に記載の電子機器装置。
【請求項３】
前記メニュー表示手段により表示されるメニューには、ユーザが次の階層のメニューを表示させるために選択する複数の次メニュー選択項目を有する次メニュー選択メニューがあり、
前記次メニュー選択メニューの各次メニュー選択項目の選択回数を計数して、それら各次メニュー選択項目のユーザによる過去の選択回数を記憶する選択回数記憶手段をさらに備え、
前記メニュー表示手段は、前記次メニュー選択メニューを表示するとき、その次メニュー選択メニューを、その次メニュー選択メニューの複数の次メニュー選択項目を前記選択回数記憶手段に記憶している過去の選択回数の多い順に並べた態様で表示する、
ことを特徴とする請求項１に記載の電子機器装置。
【発明の詳細な説明】
【技術分野】
【０００１】
本発明は、動作を指示するための操作をユーザに案内するメニューを表示する機能を備える電子機器装置に関するものである。
【背景技術】
【０００２】
従来から、電子機器装置の一種である光ディスクレコーダは、テレビジョン番組の録画、録画したテレビジョン番組の再生、録画したテレビジョン番組の削除、設定変更などの各種動作を行うようになっている。そして、このような光ディスクレコーダは、ユーザがリモコンを操作することにより、リモコンから受信した信号に基いて、各種動作を行うようになっている。すなわち、ユーザは、リモコンを操作して、光ディスクレコーダに対して各種動作を指示し、光ディスクレコーダは、ユーザによるリモコンの操作（ユーザによる各種動作の指示）に基いて、その操作に対応する動作を行うようになっている。
【０００３】
また、このような光ディスクレコーダにおいて、各種動作の一つとして、動作を指示するための操作をユーザに案内するメニューを表示するメニュー表示機能を備えたものがある。すなわち、このような光ディスクレコーダでは、ユーザは、リモコンを操作してメニューを表示させ、そのメニューの案内に従ってリモコンを操作することにより、ユーザの所望する動作を指示して、その動作を行わせるようになっている。
【０００４】
具体的には、メニューには、第１階層のメニューと、複数の第２階層のメニューと、複数の第３階層のメニューとがある。第１階層のメニューは、最上位の階層のメニューであり、ユーザによりリモコンに対して所定の操作（例えばメニューキーを押圧する操作）がされたときに表示されるメニューである。第２階層のメニューは、第１階層のメニューの下位の階層のメニューであり、第１階層のメニューが表示されているときにおいて、ユーザによりリモコンに対して所定の操作（第１階層のメニュー内の選択項目を選択する操作）がされたときに表示されるメニューである。第３階層のメニューは、第２階層のメニューの下位の階層のメニューであり、第２階層のメニューが表示されているときにおいて、ユーザによりリモコンに対して所定の操作（第２階層のメニュー内の選択項目を選択する操作）がされたときに表示されるメニューである。すなわち、ユーザは、リモコンを操作して、これら第１階層のメニュー、第２階層のメニュー、第３階層のメニューを適宜表示させて、ユーザの所望する動作を行わせるようになっている。
【０００５】
例えば、録画されている複数のテレビジョン番組を一括削除するときには、ユーザは、（１）リモコンのメニューキーを操作して、セットアップメニュー（第１階層のメニュー）を表示させ、（２）リモコンのカーソルキーを操作して、セットアップメニュー内のカーソルを移動させてセットアップメニュー内の削除メニュー選択項目を選択することにより、削除メニュー（セットアップメニューの下位の階層のメニューであって、第２階層のメニュー）を表示させ、（３）リモコンのカーソルキーを操作して、削除メニュー内のカーソルを移動させて削除メニュー内の一括削除メニュー選択項目を選択することにより、一括削除メニュー（削除メニューの下位の階層のメニューであって、第３階層のメニュー）を表示させ、（４）リモコンのカーソルキー及び選択キーを操作して、一括削除メニュー内の番組リストから削除する複数のテレビジョン番組を選択し、（５）リモコンの実行キーを操作する。これにより、ユーザにより選択された複数のテレビジョン番組が一括削除される。
【０００６】
また、例えば、設定を変更するときには、ユーザは、（１）リモコンのメニューキーを操作して、セットアップメニューを表示させ、（２）リモコンのカーソルキーを操作して、セットアップメニュー内のカーソルを移動させてセットアップメニュー内の設定変更メニュー選択項目を選択することにより、設定変更メニュー（セットアップメニューの下位の階層のメニューであって、第２階層のメニュー）を表示させ、（３）・・・、（４）リモコンを操作して、設定変更の内容を選択し、（５）リモコンの実行キーを操作する。これにより、ユーザにより選択された内容の設定変更が行われる。
【０００７】
一方、遠隔操作装置は、スクリプトファイルを実行させるための操作信号を、複数の操作ボタンのいずれかに割り当てて登録し、表示装置は、操作信号が割り当てられた操作ボタンが操作されたときに、操作信号に応じたスクリプトファイルをメモリから読み出して実行するようにした放送データ登録システムが知られている（例えば特許文献１参照）。また、選択操作されたメニュー情報の選択履歴情報を記憶し、選択履歴情報における最終選択項目と、その最終選択項目の各上位階層における選択項目とを対応付けて表示させると共に、表示された最終選択項目に対応する上位階層において他に選択可能な選択可能項目を表示させるようにした電子機器が知られている（例えば特許文献２参照）。また、受付けた操作項目の設定処理を実行した回数を操作項目ごとに数え、回数を表す情報をＥＥＰＲＯＭに記憶させ、操作項目の一覧を表示する際に設定処理を実行した回数の順に並べ替えて表示するようにしたテレビジョンが知られている（例えば特許文献３参照）。
【先行技術文献】
【特許文献】
【０００８】
【特許文献１】特開２００７−１５８７９０号公報
【特許文献２】特開２００８−２８７５６７号公報
【特許文献３】特開２００７−６０２４４号公報
【発明の概要】
【発明が解決しようとする課題】
【０００９】
ところで、上述した従来の光ディスクレコーダにおいては、第１階層のメニュー（セットアップメニュー）を表示させてからでなければ、下位の階層のメニューである第２階層のメニューや第３階層のメニュー（例えば、削除メニュー（第２階層のメニュー）、一括削除メニュー（第３階層のメニュー）、設定変更メニュー（第２階層のメニュー）など）を表示させることができない。
【００１０】
すなわち、第２階層のメニューを表示させる場合には、ユーザは、第１階層のメニューを表示させるための操作を行い、続いて、第２階層のメニューを表示させるための操作を行う、という一連の操作を行わなければならない。また、第３階層のメニューを表示させる場合には、ユーザは、第１階層のメニューを表示させるための操作を行い、続いて、第２階層のメニューを表示させるための操作を行い、さらに、第３階層のメニューを表示させるための操作を行う、という一連の操作を行わなければならない。
【００１１】
従って、従来の光ディスクレコーダにおいては、ユーザは、下位の階層のメニューを表示させるのに（すなわち、所望の動作を指示するのに）、多くの操作を行わなければならず、操作性が悪い。なお、上述した特許文献１乃至特許文献５に開示の内容を適用したとしても、上記の問題を解決することはできない。
【００１２】
本発明は、上記課題を解決するためになされたものであり、少ない操作回数で下位の階層のメニューを表示させることができ、操作性を向上させることができる電子機器装置を提供することを目的とする。
【課題を解決するための手段】
【００１３】
上記目的を達成するために請求項１の発明は、本装置の動作を指示するためにユーザにより操作される操作手段と、ユーザによる操作手段の操作に基いて、本装置の動作を指示するための操作をユーザに案内するメニューを表示するメニュー表示手段とを備え、メニュー表示手段により表示されるメニューには、ユーザにより操作手段のメニューキーが操作されたときに表示される第１階層のメニューと、第１階層のメニューが表示されているときにおいて、ユーザにより操作手段に対して所定の操作がされたときに表示される複数の第２階層のメニューと、第２階層のメニューが表示されているときにおいて、ユーザにより操作手段に対して所定の操作がされたときに表示される複数の第３階層のメニューとがある電子機器装置において、操作手段は、第２階層のメニュー又は第３階層のメニューを表示させるための操作を短縮して行うためにユーザに操作される短縮キーを有し、ユーザによる操作手段の操作に基いて、短縮キーの操作に、複数の第２階層のメニュー及び複数の第３階層メニューのうち、ユーザの指定したメニューであるユーザ指定メニューを表示させるための操作を割当てる操作割当手段を備え、メニュー表示手段は、ユーザにより短縮キーが操作されると、操作割当手段により短縮キーの操作に割当てられた操作に対応する動作を実行して、ユーザ指定メニューを表示するものである。
【００１４】
請求項２の発明は、請求項１に記載の電子機器装置において、メニュー表示手段は、ユーザによる操作手段の操作に基いて、操作割当手段による操作の割当てを指示するための操作をユーザに案内する操作割当メニューを表示し、操作割当手段は、操作割当メニューが表示されているときに、ユーザにより操作手段が操作割当メニューに従って操作されると、その操作に基いて、短縮キーの操作に、ユーザ指定メニューを表示させるための操作を割当てるものである。
【００１５】
請求項３の発明は、請求項１に記載の電子機器装置において、メニュー表示手段により表示されるメニューには、ユーザが次の階層のメニューを表示させるために選択する複数の次メニュー選択項目を有する次メニュー選択メニューがあり、次メニュー選択メニューの各次メニュー選択項目の選択回数を計数して、それら各次メニュー選択項目のユーザによる過去の選択回数を記憶する選択回数記憶手段をさらに備え、メニュー表示手段は、次メニュー選択メニューを表示するとき、その次メニュー選択メニューを、その次メニュー選択メニューの複数の次メニュー選択項目を選択回数記憶手段に記憶している過去の選択回数の多い順に並べた態様で表示するものである。
【発明の効果】
【００１６】
請求項１の発明によれば、短縮キーの操作に、ユーザ指定メニュー（複数の第２階層のメニュー及び複数の第３階層メニューのうち、ユーザの指定したメニュー）を表示させるための操作を割当てておくことにより、ユーザは、リモコンの短縮キーを操作するだけで、そのユーザ指定メニューを表示させることができる。すなわち、ユーザは、短縮キーを操作することにより、そのユーザ指定メニューを従来の手順で表示させるときの一連の操作を短縮して行えることになる。従って、少ない操作回数で下位の階層のメニューを表示させることができ、操作性を向上させることができる。
【００１７】
請求項２の発明によれば、ユーザは、操作割当メニューの案内に従ってリモコンを操作するだけで、短縮キーの操作に、ユーザ指定メニューを表示させるための操作を割当てることができる。従って、簡単な操作によって、短縮キーの操作に、ユーザ指定メニューを表示させるための操作を割当てることができ、使い勝手が良い。
【００１８】
請求項３の発明によれば、表示されるメニューが複数の次メニュー選択項目（ユーザが次の階層のメニューを表示させるために選択する選択項目）を有する場合には、それら複数の次メニュー選択項目が、ユーザによる過去の選択回数の多い順に並べた態様で表示される。これにより、ユーザは、メニュー内の複数の次メニュー選択項目の中から、過去の選択回数の多い次メニュー選択項目を選択する場合（すなわち、使用頻度の高いメニューを表示させる場合）、メニュー内のカーソルを移動させる操作が少なくて済む。従って、少ない操作回数で使用頻度の高いメニューを表示させることができ、操作性を向上させることができる。
【図面の簡単な説明】
【００１９】
【図１】本発明の一実施形態に係る光ディスクレコーダの概略構成を示す電気的ブロック構成図。
【図２】同光ディスクレコーダのリモコンの構成を示す平面図。
【図３】同光ディスクレコーダのセットアップメニューの表示例を示す図。
【図４】（ａ）は同光ディスクレコーダの録画メニューの表示例を示す図、（ｂ）は同再生メニューの表示例を示す図、（ｃ）は同削除メニューの表示例を示す図、（ｄ）は同設定変更メニューの表示例を示す図。
【図５】同光ディスクレコーダの一括削除メニューの表示例を示す図。
【図６】同光ディスクレコーダの操作割当メニューの表示例を示す図。
【図７】（ａ）は同光ディスクレコーダのセットアップメニューの別の表示例を示す図、（ｂ）は同削除メニューの別の表示例を示す図。
【図８】同光ディスクレコーダの動作を示すフローチャート。
【図９】同光ディスクレコーダの動作を示すフローチャート。
【図１０】同光ディスクレコーダの動作を示すフローチャート。
【発明を実施するための形態】
【００２０】
以下、本発明を具体化した実施形態による電子機器装置について図面を参照して説明する。図１は、本実施形態による電子機器装置である光ディスクレコーダの構成を示す。光ディスクレコーダ１は、テレビジョン放送局から放送されるテレビジョン番組を光ディスク２に録画し、光ディスク２に録画したテレビジョン番組を再生する装置である。光ディスクレコーダ１は、本体装置である光ディスクレコーダ本体３と、光ディスクレコーダ本体３と別体に構成され、光ディスクレコーダ本体３の動作を指示するためにユーザに操作される操作手段であるリモコン４とを備える。
【００２１】
この光ディスクレコーダ１は、動作を指示するための操作をユーザに案内するメニューを表示するメニュー表示機能を備えている。光ディスクレコーダ１は、光ディスクレコーダ本体３にモニタ５を接続して使用するようになっており、光ディスク２から再生したテレビジョン番組や、動作を指示するための操作をユーザに案内するメニュー等を、モニタ５に表示するようになっている。
【００２２】
リモコン４は、キー操作部１１と、投光部１２と、メモリ１３と、リモコン４の動作を制御するリモコン制御部１４とを備えている。
【００２３】
キー操作部１１は、光ディスクレコーダ本体３の各種動作を指示するためにユーザに操作される各種操作キーを有しており、各種操作キーが操作されると、その操作された操作キーに対応する操作信号を出力する。投光部１２は、リモコン制御部１４による制御のもと、赤外線を投光する。メモリ１３は、リモコン４の動作を制御するためのプログラムを記憶している。リモコン制御部１４は、メモリ１３に記憶しているプログラム、及びキー操作部１１から出力される操作信号に基いて、リモコン４の動作を制御する。
【００２４】
リモコン制御部１４は、キー操作部１１から出力される操作信号に基いて、キー操作部１１の各種操作キーが操作されたことを検出する。そして、リモコン制御部１４は、キー操作部１１の各種操作キーが操作されたことを検出すると、投光部１２により、操作された操作キーを示すようにパルス変調した赤外線を投光させる。これにより、操作された操作キーを示すキー信号が、投光部１２から赤外線によって送信される。
【００２５】
リモコン４は、このような構成により、ユーザによりキー操作部１１の各種操作キーが操作されると、その操作された操作キーを示すキー信号を赤外線によって送信する。
【００２６】
光ディスクレコーダ本体３は、テレビジョン受信部２１と、フロントエンド部２２と、信号処理部２３と、ＯＳＤ処理部２４と、ＡＶ信号ＤＡ変換部２５と、情報比較部２６と、メモリ２７と、プログラム記憶部２８と、受光部２９と、光ディスクレコーダ本体３の動作を制御するシステム制御部３０等を備える。
【００２７】
テレビジョン受信部２１は、システム制御部３０による制御のもと、テレビジョン放送局から放送されるテレビジョン信号を受信し、そのテレビジョン信号から、テレビジョン番組の映像信号、音声信号、及び番組情報信号等の各種信号を生成する。フロントエンド部２２は、ＤＶＤ、ＢＤ（ブルーレイディスク）等の光ディスク２が装着／取外しされるようになっており、システム制御部３０による制御のもと、テレビジョン受信部２１により生成されたテレビジョン番組の映像信号、音声信号、及び番組情報信号等を含む各種信号を光ディスク２に記録し、また、光ディスク２に記録されているテレビジョン番組の映像信号、音声信号、及び番組情報信号等を含む各種信号を読取る。
【００２８】
信号処理部２３は、システム制御部３０による制御のもと、テレビジョン受信部２１により生成されたテレビジョン番組の映像信号、及びフロントエンド部２２により光ディスク２から読取られたテレビジョン番組の映像信号に対して、各種映像処理（輝度補正、ホワイトバランス補正、スケーリング等の処理）を施し、その映像処理後の映像信号を出力する。
【００２９】
ＯＳＤ処理部２４は、システム制御部３０による制御のもと、各種映像をＯＳＤ表示するために、信号処理部２３から出力された映像信号を加工処理し、その加工処理後の映像信号を出力する。また、ＯＳＤ処理部２４は、システム制御部３０による制御のもと、信号処理部２３により生成された映像信号を加工処理しないときには、信号処理部２３から出力された映像信号をそのまま出力する。
【００３０】
ＡＶ信号ＤＡ変換部２５は、システム制御部３０による制御のもと、ＯＳＤ処理部２４から出力された映像信号をＤＡ変換すると共に、テレビジョン受信部２１により生成されたテレビジョン番組の音声信号、及びフロントエンド部２２により光ディスク２から読取られたテレビジョン番組の音声信号をＤＡ変換する。ＡＶ信号ＤＡ変換部２５によりＤＡ変換された映像信号及び音声信号は、モニタ５に供給され、その映像信号による映像がモニタ５に表示されると共に、その音声信号による音声がモニタ５から出力される。
【００３１】
情報比較部２６は、システム制御部３０による制御のもと、各種情報を比較する。メモリ２７は、システム制御部３０による制御のもと、各種情報を記憶する。プログラム記憶部２８は、光ディスクレコーダ本体３の動作を制御するためのプログラムを記憶している。受光部２９は、リモコン４から投光される赤外線を受光し、リモコン４から赤外線によって送信されるキー信号（ユーザにより操作されたリモコン４のキー操作部１１の操作キーを示すキー信号）を受信する。システム制御部３０は、プログラム記憶部２８に記憶しているプログラムに基いて、また、受光部２９により受信したキー信号に基いて（すなわち、ユーザによるリモコン４の操作に基いて）、光ディスクレコーダ本体３の動作を制御する。
【００３２】
システム制御部３０は、光ディスク２にテレビジョン番組を録画する。すなわち、システム制御部３０は、テレビジョン放送局から放送されるテレビジョン信号をテレビジョン受信部２１により受信させ、テレビジョン受信部２１により生成されたテレビジョン番組の映像信号及び音声信号をフロントエンド部２２により光ディスク２に記録させる。これにより、テレビジョン放送局から放送されているテレビジョン番組が光ディスク２に録画される。このとき、システム制御部３０は、光ディスク２に録画したテレビジョン番組を管理するために、光ディスク２に録画したテレビジョン番組のタイトルと録画日を、録画したテレビジョン番組と対応付けて、フロントエンド部２２により光ディスク２に記録させる。システム制御部３０は、このようにして、光ディスク２にテレビジョン番組を録画する。
【００３３】
また、システム制御部３０は、光ディスク２に録画されているテレビジョン番組を再生する。すなわち、システム制御部３０は、光ディスク２に録画されているテレビジョン番組の映像信号及び音声信号をフロントエンド部２２により読取らせ、その読取ったテレビジョン番組の映像信号を信号処理部２３に供給すると共に、その読取った音声信号をＡＶ信号ＤＡ変換部２５に供給する。これにより、光ディスク２に録画されているテレビジョン番組の映像信号が信号処理部２３、ＯＳＤ処理部２４、ＡＶ信号ＤＡ変換部２５を経由してモニタ５に供給されると共に、光ディスク２に録画されているテレビジョン番組の音声信号がＡＶ信号ＤＡ変換部２５を経由してモニタ５に供給される。これにより、光ディスク２に録画されているテレビジョン番組の映像がモニタ５に表示されると共に、光ディスク２に録画されているテレビジョン番組の音声がモニタ５から出力され、光ディスク２に録画されているテレビジョン番組が再生される。このとき、システム制御部３０は、光ディスク２に録画されているテレビジョン番組を管理するために、再生したテレビジョン番組の再生日を、再生したテレビジョン番組と対応付けて、フロントエンド部２２により光ディスク２に記録させる。システム制御部３０は、このようにして、光ディスク２に録画されているテレビジョン番組を再生する。
【００３４】
また、システム制御部３０は、光ディスク２に録画されているテレビジョン番組を削除する。すなわち、システム制御部３０は、光ディスク２に録画されているテレビジョン番組の映像信号及び音声信号をフロントエンド部２２により削除させる。これにより、光ディスク２に録画されているテレビジョン番組が削除される。システム制御部３０は、このようにして、光ディスク２に録画されているテレビジョン番組を削除する。
【００３５】
また、システム制御部３０は、光ディスク２にテレビジョン番組を録画するときの画質や、モニタ５に表示される画像の輝度、ホワイトバランスなどの各種設定を行い、また、それら各種設定の変更を行う。
【００３６】
また、システム制御部３０は、光ディスクレコーダ１の動作（テレビジョン番組の録画、録画したテレビジョン番組の再生、録画したテレビジョン番組の削除、設定変更などの各種動作）を指示するための操作をユーザに案内するメニューを表示する。システム制御部３０は、メニューをＯＳＤ表示によって表示する。すなわち、システム制御部３０は、メニューを表示するように、信号処理部２３から出力された映像信号をＯＳＤ処理部２４により加工処理させる。これにより、メニューを表示するように加工処理された映像信号がＡＶ信号ＤＡ変換部２５を経由してモニタ５に供給され、メニューがモニタ５にＯＳＤ表示される。システム制御部３０は、このようにして、メニューを表示する。プログラム記憶部２８、及びシステム制御部３０によって、メニュー表示手段が構成されている。
【００３７】
システム制御部３０は、ユーザによるリモコン４の操作に基いて、メニューを表示し、そして、メニューの表示中に行われる（メニューの案内に従って行われる）ユーザによるリモコン４の操作に応じて、テレビジョン番組の録画、録画されているテレビジョン番組の再生、録画されているテレビジョン番組の削除、設定変更などの各種動作を実行する。すなわち、ユーザは、リモコン４を操作してメニューを表示させ、メニューの表示中に（メニューの案内に従って）リモコン４を操作することにより、ユーザの所望する動作を指示して、その動作を行わせる。
【００３８】
システム制御部３０により表示されるメニューには、第１階層のメニューと、第２階層のメニューと、の第３階層のメニューとがある。第１階層のメニューは、最上位の階層のメニューであり、ユーザによりリモコン４に対してメニューを表示させるための操作（後述するメニューキーを押圧する操作）がされたときに最初に表示されるメニューである。第２階層のメニューは、第１階層のメニューの下位の階層のメニューであり、第１階層のメニューが表示されているときにおいて、ユーザによりリモコン４に対して所定の操作がされたときに表示されるメニューである。第３階層のメニューは、第２階層のメニューの下位の階層のメニューであり、第２階層のメニューが表示されているときにおいて、ユーザによりリモコン４に対して所定の操作がされたときに表示されるメニューである。従って、ユーザは、リモコン４を操作して、これら第１階層のメニュー、第２階層のメニュー、第３階層のメニューを適宜表示させて、ユーザの所望する動作を行わせる。
【００３９】
図２は、リモコン４のキー操作部１１の構成を示す。リモコン４のキー操作部１１は、光ディスクレコーダ本体３の各種動作を指示するためにユーザに操作される操作キーとして、電源キー４１、数字キー４２、カーソルキー４３ａ、４３ｂ、４３ｃ、４３ｄ、メニューキー４４、短縮キー４５、割当キー４６、選択キー４７、実行キー４８、終了キー４９を有している。これらの操作キーは、いずれも押圧操作されるものである。
【００４０】
従って、リモコン４は、これらの操作キーがユーザにより押圧操作されると、その押圧操作された操作キーを示すキー信号を投光部１２から赤外線によって送信する。光ディスクレコーダ本体３のシステム制御部３０は、リモコン４から送信されるキー信号（受光部２９により受信したキー信号）に基いて、ユーザにより操作された操作キー（ユーザによるリモコン４の操作内容）を判断して、メニューの表示、テレビジョン番組の録画、録画されているテレビジョン番組の再生、録画されているテレビジョン番組の削除、設定変更などの各種動作を実行する。
【００４１】
図３、図４（ａ）（ｂ）（ｃ）（ｄ）、図５は、メニューの表示例を示す。システム制御部３０により表示されるメニューには、図３に示すセットアップメニュー１００と、図４（ａ）に示す録画メニュー１１０と、図４（ｂ）に示す再生メニュー１２０と、図４（ｃ）に示す削除メニュー１３０と、図４（ｄ）に示す設定変更メニュー１４０と、図５に示す一括削除メニュー１５０等がある。
【００４２】
セットアップメニュー１００は、第１階層のメニューである。録画メニュー１１０、再生メニュー１２０、削除メニュー１３０、及び録画メニュー１４０は、セットアップメニューの下位の階層のメニューであって、第２階層のメニューである。一括削除メニュー１５０は、削除メニュー１３０の下位の階層のメニューであって、第３階層のメニューである。なお、図示していないが、削除メニュー１３０の下位の階層には、一括削除メニュー１５０の他に、個別削除メニュー（第３階層のメニュー）がある。また、図示していないが、録画メニュー１１０、再生メニュー１２０、設定変更メニュー１４０の下位の階層にも、各々、複数種のメニュー（第３階層のメニュー）がある。
【００４３】
セットアップメニュー１００は、メニュー名１０１と、複数の選択項目１０２ａ、１０２ｂ、１０２ｃ、１０２ｄと、カーソル１０３とを含んでいる。メニュー名１０１は、表示されているメニューの種類をユーザに伝えるためのものであり、表示されているメニューの種類を示す「セットアップメニュー」の文字列から成っている。選択項目１０２ａ〜１０２ｄは、各々、ユーザが次の階層（セットアップメニュー１００の下位の階層）のメニューを表示させるために選択する選択項目であり、次に表示されるメニューの種類を示す文字列から成っている。すなわち、選択項目１０２ａは、ユーザが次の階層のメニューとして録画メニュー１１０を表示させるために選択する選択項目であり、次に表示されるメニューの種類を示す「録画」の文字列から成っている。また、選択項目１０２ｂは、ユーザが次の階層のメニューとして再生メニュー１２０を表示させるために選択する選択項目であり、次に表示されるメニューの種類を示す「再生」の文字列から成っている。また、選択項目１０２ｃは、ユーザが次の階層のメニューとして削除メニュー１３０を表示させるために選択する選択項目であり、次に表示されるメニューの種類を示す「削除」の文字列から成っている。また、選択項目１０２ｄは、ユーザが次の階層のメニューとして設定変更メニュー１４０を表示させるために選択する選択項目であり、次に表示されるメニューの種類を示す「設定変更」の文字列から成っている。カーソル１０３は、ユーザが複数の選択項目１０２ａ〜１０２ｄの中のいずれかを選択するために利用するものであり、ユーザによるリモコン４の操作によって、その表示位置が移動するようになっている。
【００４４】
録画メニュー１１０は、メニュー名１１１と、複数の選択項目１１２ａ、１１２ｂ、１１２ｃと、カーソル１１３とを含んでいる。メニュー名１１１は、表示されているメニューの種類をユーザに伝えるためのものであり、表示されているメニューの種類を示す「録画メニュー」の文字列から成っている。選択項目１１２ａ〜１１２ｃは、各々、ユーザが次の階層（録画メニュー１１０の下位の階層）のメニューを表示させるために選択する選択項目であり、次に表示されるメニューの種類を示す文字列から成っている。カーソル１１３は、ユーザが複数の選択項目１１２ａ〜１１２ｃの中のいずれかを選択するために利用するものであり、ユーザによるリモコン４の操作によって、その表示位置が移動するようになっている。
【００４５】
再生メニュー１２０は、メニュー名１２１と、複数の選択項目１２２ａ、１２２ｂと、カーソル１２３とを含んでいる。メニュー名１２１は、表示されているメニューの種類をユーザに伝えるためのものであり、表示されているメニューの種類を示す「再生メニュー」の文字列から成っている。選択項目１２２ａ、１２２ｂは、各々、ユーザが次の階層（再生メニュー１２０の下位の階層）のメニューを表示させるために選択する選択項目であり、次に表示されるメニューの種類を示す文字列から成っている。カーソル１２３は、ユーザが複数の選択項目１２２ａ、１２２ｂのいずれかを選択するために利用するものであり、ユーザによるリモコン４の操作によって、その表示位置が移動するようになっている。
【００４６】
削除メニュー１３０は、メニュー名１３１と、複数の選択項目１３２ａ、１３２ｂと、カーソル１３３とを含んでいる。メニュー名１３１は、表示されているメニューの種類をユーザに伝えるためのものであり、表示されているメニューの種類を示す「削除メニュー」の文字列から成っている。選択項目１３２ａ、１３２ｂは、各々、ユーザが次の階層（削除メニュー１３０の下位の階層）のメニューを表示させるために選択する選択項目であり、次に表示されるメニューの種類を示す文字列から成っている。すなわち、選択項目１３２ａは、ユーザが次の階層のメニューとして個別削除メニュー（不図示）を表示させるために選択する選択項目であり、次に表示されるメニューの種類を示す「個別削除」の文字列から成っている。また、選択項目１３２ｂは、ユーザが次の階層のメニューとして一括削除メニュー１５０を表示させるために選択する選択項目であり、次に表示されるメニューの種類を示す「一括削除」の文字列から成っている。カーソル１３３は、ユーザが複数の選択項目１３２ａ、１３２ｂのいずれかを選択するために利用するものであり、ユーザによるリモコン４の操作によって、その表示位置が移動するようになっている。
【００４７】
設定変更メニュー１４０は、メニュー名１４１と、複数の選択項目１４２ａ、１４２ｂ、１４２ｃと、カーソル１４３とを含んでいる。メニュー名１４１は、表示されているメニューの種類をユーザに伝えるためのものであり、表示されているメニューの種類を示す「設定変更メニュー」の文字列から成っている。選択項目１４２ａ〜１４２ｃは、各々、ユーザが次の階層（設定変更メニュー１４０の下位の階層）のメニューを表示させるために選択する選択項目であり、次に表示されるメニューの種類を示す文字列から成っている。カーソル１４３は、ユーザが複数の選択項目１４２ａ〜１４２ｃのいずれかを選択するために利用するものであり、ユーザによるリモコン４の操作によって、その表示位置が移動するようになっている。
【００４８】
一括削除メニュー１５０は、メニュー名１５１と、案内メッセージ１５２と、番組リスト１５３と、カーソル１５４とを含んでいる。メニュー名１５１は、表示されているメニューの種類をユーザに伝えるためのものであり、表示されているメニューの種類を示す「一括削除メニュー」の文字列から成っている。案内メッセージ１５２は、「削除する番組を選択してください。複数の番組を選択できます」の文字列から成っている。番組リスト１５３は、ユーザが削除するテレビジョン番組を選択するために利用されるものであり、光ディスク２に録画されているテレビジョン番組のタイトル（題名）、録画日、再生日、ジャンルが一覧形式で並べられたものになっている。カーソル１５４は、ユーザが番組リスト１５３内のタイトルを選択（削除するテレビジョン番組を選択）するために利用するものであり、ユーザによるリモコン４の操作によって、その表示位置が移動するようになっている。また、番組リスト１５３には、ユーザが選択したタイトルの横に、選択済みマーク１５９が表示されるようになっている。
【００４９】
システム制御部３０は、リモコン４のメニューキー４４が操作されると、セットアップメニュー１００（図３参照）を表示する。システム制御部３０は、セットアップメニュー１００を表示しているときに、リモコン４のカーソルキー４３ａ、４３ｂが操作されると、その操作に応じて、セットアップメニュー１００内のカーソル１０３を移動させる。すなわち、システム制御部３０は、カーソルキー４３ｂが１回操作される毎に、カーソル１０３を１つ下の選択項目に重なるように移動させ、また、カーソルキー４３ａが１回操作される毎に、カーソル１０３を１つ上の選択項目に重なるように移動させる。
【００５０】
そして、システム制御部３０は、セットアップメニュー１００を表示しているときに、リモコン４の実行キー４８が操作されると、そのときにカーソル１０３が重なっている選択項目をユーザが選択したと判断し、そのときにカーソル１０３が重なっている選択項目に対応する次の階層（下位の階層）のメニューを表示する。すなわち、システム制御部３０は、セットアップメニュー１００を表示しているときに、選択項目１０２ａが選択されると（カーソル１０３が選択項目１０２ａに重なっている状態で、実行キー４８が操作されると）、セットアップメニュー１００の表示を終了して、録画メニュー１１０（図４（ａ）参照）を表示する。また、システム制御部３０は、セットアップメニュー１００を表示しているときに、選択項目１０２ｂが選択されると（カーソル１０３が選択項目１０２ｂに重なっている状態で、実行キー４８が操作されると）、セットアップメニュー１００の表示を終了して、再生メニュー１２０（図４（ｂ）参照）を表示する。また、システム制御部３０は、セットアップメニュー１００を表示しているときに、選択項目１０２ｃが選択されると（カーソル１０３が選択項目１０２ｃに重なっている状態で、実行キー４８が操作されると）、セットアップメニュー１００の表示を終了して、削除メニュー１３０（図４（ｃ）参照）を表示する。また、システム制御部３０は、セットアップメニュー１００を表示しているときに、選択項目１０２ｄが選択されると（カーソル１０３が選択項目１０２ｄに重なっている状態で、実行キー４８が操作されると）、セットアップメニュー１００の表示を終了して、設定変更メニュー１４０（図４（ｄ）参照）を表示する。
【００５１】
また、システム制御部３０は、録画メニュー１１０（図４（ａ）参照）を表示しているときに、リモコン４のカーソルキー４３ａ、４３ｂが操作されると、その操作に応じて、録画メニュー１１０内のカーソル１１３を移動させる。すなわち、システム制御部３０は、カーソルキー４３ｂが１回操作される毎に、カーソル１１３を１つ下の選択項目に重なるように移動させ、また、カーソルキー４３ａが１回操作される毎に、カーソル１１３を１つ上の選択項目に重なるように移動させる。
【００５２】
そして、システム制御部３０は、録画メニュー１１０を表示しているときに、リモコン４の実行キー４８が操作されると、そのときにカーソル１１３が重なっている選択項目をユーザが選択したと判断し、そのときにカーソル１１３が重なっている選択項目に対応する次の階層（下位の階層）のメニューを表示する。すなわち、システム制御部３０は、録画メニュー１１０を表示しているときに、選択項目１１２ａが選択されると（カーソル１１３が選択項目１１２ａに重なっている状態で、実行キー４８が操作されると）、録画メニュー１１０の表示を終了して、選択項目１１２ａに対応する次の階層（下位の階層）のメニューを表示する。また、システム制御部３０は、録画メニュー１１０を表示しているときに、選択項目１１２ｂが選択されると（カーソル１１３が選択項目１１２ｂに重なっている状態で、実行キー４８が操作されると）、録画メニュー１１０の表示を終了して、選択項目１１２ｂに対応する次の階層（下位の階層）のメニューを表示する。また、システム制御部３０は、録画メニュー１１０を表示しているときに、選択項目１１２ｃが選択されると（カーソル１１３が選択項目１１２ｃに重なっている状態で、実行キー４８が操作されると）、録画メニュー１１０の表示を終了して、選択項目１１２ｃに対応する次の階層（下位の階層）のメニューを表示する。
【００５３】
また、システム制御部３０は、再生メニュー１２０（図４（ｂ）参照）を表示しているときに、リモコン４のカーソルキー４３ａ、４３ｂが操作されると、その操作に応じて、再生メニュー１２０内のカーソル１２３を移動させる。すなわち、システム制御部３０は、カーソルキー４３ｂが１回操作される毎に、カーソル１２３を１つ下の選択項目に重なるように移動させ、また、カーソルキー４３ａが１回操作される毎に、カーソル１２３を１つ上の選択項目に重なるように移動させる。
【００５４】
そして、システム制御部３０は、再生メニュー１２０を表示しているときに、リモコン４の実行キー４８が操作されると、そのときにカーソル１２３が重なっている選択項目をユーザが選択したと判断し、そのときにカーソル１２３が重なっている選択項目に対応する次の階層（下位の階層）のメニューを表示する。すなわち、システム制御部３０は、再生メニュー１２０を表示しているときに、選択項目１２２ａが選択されると（カーソル１２３が選択項目１２２ａに重なっている状態で、実行キー４８が操作されると）、再生メニュー１２０の表示を終了して、選択項目１２２ａに対応する次の階層（下位の階層）のメニューを表示する。また、システム制御部３０は、再生メニュー１２０を表示しているときに、選択項目１２２ｂが選択されると（カーソル１２３が選択項目１２２ｂに重なっている状態で、実行キー４８が操作されると）、再生メニュー１２０の表示を終了して、選択項目１２２ｂに対応する次の階層（下位の階層）のメニューを表示する。
【００５５】
また、システム制御部３０は、削除メニュー１３０（図４（ｃ）参照）を表示しているときに、リモコン４のカーソルキー４３ａ、４３ｂが操作されると、その操作に応じて、削除メニュー１３０内のカーソル１３３を移動させる。すなわち、システム制御部３０は、カーソルキー４３ｂが１回操作される毎に、カーソル１３３を１つ下の選択項目に重なるように移動させ、また、カーソルキー４３ａが１回操作される毎に、カーソル１３３を１つ上の選択項目に重なるように移動させる。
【００５６】
そして、システム制御部３０は、削除メニュー１３０を表示しているときに、リモコン４の実行キー４８が操作されると、そのときにカーソル１３３が重なっている選択項目をユーザが選択したと判断し、そのときにカーソル１３３が重なっている選択項目に対応する次の階層（下位の階層）のメニューを表示する。すなわち、システム制御部３０は、削除メニュー１３０を表示しているときに、選択項目１３２ａが選択されると（カーソル１３３が選択項目１３２ａに重なっている状態で、実行キー４８が操作されると）、削除メニュー１３００の表示を終了して、選択項目１３２ａに対応する次の階層（下位の階層）のメニューである個別削除メニュー（不図示）を表示する。また、システム制御部３０は、削除メニュー１３０を表示しているときに、選択項目１３２ｂが選択されると（カーソル１３３が選択項目１３２ｂに重なっている状態で、実行キー４８が操作されると）、削除メニュー１３０の表示を終了して、選択項目１３２ｂに対応する次の階層（下位の階層）のメニューである一括削除メニュー１５０を表示する。
【００５７】
また、システム制御部３０は、設定変更メニュー１４０（図４（ｄ）参照）を表示しているときに、リモコン４のカーソルキー４３ａ、４３ｂが操作されると、その操作に応じて、設定変更メニュー１４０内のカーソル１４３を移動させる。すなわち、システム制御部３０は、カーソルキー４３ｂが１回操作される毎に、カーソル１４３を１つ下の選択項目に重なるように移動させ、また、カーソルキー４３ａが１回操作される毎に、カーソル１４３を１つ上の選択項目に重なるように移動させる。
【００５８】
そして、システム制御部３０は、設定変更メニュー１４０を表示しているときに、リモコン４の実行キー４８が操作されると、そのときにカーソル１４３が重なっている選択項目をユーザが選択したと判断し、そのときにカーソル１４３が重なっている選択項目に対応する次の階層（下位の階層）のメニューを表示する。すなわち、システム制御部３０は、設定変更メニュー１４０を表示しているときに、選択項目１４２ａが選択されると（カーソル１４３が選択項目１４２ａに重なっている状態で、実行キー４８が操作されると）、設定変更メニュー１４０の表示を終了して、選択項目１４２ａに対応する次の階層（下位の階層）のメニューを表示する。また、システム制御部３０は、設定変更メニュー１４０を表示しているときに、選択項目１４２ｂが選択されると（カーソル１４３が選択項目１４２ｂに重なっている状態で、実行キー４８が操作されると）、設定変更メニュー１４０の表示を終了して、選択項目１４２ｂに対応する次の階層（下位の階層）のメニューを表示する。また、システム制御部３０は、設定変更メニュー１４０を表示しているときに、選択項目１４２ｃが選択されると（カーソル１４３が選択項目１４２ｃに重なっている状態で、実行キー４８が操作されると）、設定変更メニュー１４０の表示を終了して、選択項目１４２ｃに対応する次の階層（下位の階層）のメニューを表示する。
【００５９】
また、システム制御部３０は、一括削除メニュー１５０（図５参照）を表示しているときに、リモコン４のカーソルキー４３ａ、４３ｂが操作されると、その操作に応じて、一括削除メニュー１５０内のカーソル１５４を移動させる。すなわち、システム制御部３０は、カーソルキー４３ｂが１回操作される毎に、カーソル１５４を番組リスト１５３のタイトル欄の１つ下のタイトルに重なるように移動させ、また、カーソルキー４３ａが１回操作される毎に、カーソル１５４を番組リスト１５３のタイトル欄の１つ上のタイトルに重なるように移動させる。
【００６０】
続いて、システム制御部３０は、一括削除メニュー１５０を表示しているときに、リモコン４の選択キー４７が操作されると、そのときにカーソル１５４が重なっているタイトルのテレビジョン番組をユーザが選択したと判断し、そのときにカーソル１５４が重なっているタイトルの横に選択済みマーク１５９を表示する。そして、システム制御部３０は、一括削除メニュー１５０を表示しているときに、リモコン４の実行キー４８が操作されると、そのときにチェックマーク１５９が表示されているタイトルのテレビジョン番組（ユーザが選択したテレビジョン番組）を削除することをユーザが指示したと判断し、それらのテレビジョン番組を削除する。
【００６１】
また、システム制御部３０は、録画メニュー１１０の下位の階層のメニュー（不図示）を表示しているときに、ユーザによりリモコン４が操作されると、その操作に応じて、テレビジョン番組を録画する。また、システム制御部３０は、再生メニュー１２０の下位の階層のメニュー（不図示）を表示しているときに、ユーザによりリモコン４が操作されると、その操作に応じて、録画されているテレビジョン番組を再生する。また、システム制御部３０は、削除メニュー１３０の下位の階層のメニューである個別削除メニュー（不図示）を表示しているときに、ユーザによりリモコン４が操作されると、その操作に応じて、録画されているテレビジョン番組を削除する。また、システム制御部３０は、設定変更メニュー１４０の下位の階層のメニュー（不図示）を表示しているときに、ユーザによりリモコン４が操作されると、その操作に応じて、設定を変更する。
【００６２】
このような構成により、本発明の光ディスクレコーダ１では、ユーザは、リモコン４を操作して、これらのメニューを適宜表示させて、ユーザの所望する動作（テレビジョン番組の録画、録画されているテレビジョン番組の再生、録画されているテレビジョン番組の削除、設定変更などの各種動作）を行わせる。
【００６３】
例えば、録画されている複数のテレビジョン番組を一括削除するときには、ユーザは、以下のような操作をする。（１）まず、リモコン４のメニューキー４４を操作して、セットアップメニュー１００（第１階層のメニュー）を表示させる。（２）続いて、リモコン４のカーソルキー４３ａ、４３ｂを操作して、セットアップメニュー１００内のカーソル１０３をセットアップメニュー１０３内の選択項目１０２ｃ（削除メニュー１３０を表示させるための選択項目）上に移動させて、リモコン４の実行キー４８を操作することにより、削除メニュー１３０（セットアップメニューの下位の階層のメニューであって、第２階層のメニュー）を表示させる。（３）さらに、リモコン４のカーソルキー４３ａ、４３ｂを操作して、削除メニュー１３０内のカーソル１３３を削除メニュー１３０内の選択項目１３２ｂ（一括削除メニュー１５０を表示させるための選択項目）上に移動させて、リモコン４の実行キー４８を操作することにより、一括削除メニュー１５０（削除メニューの下位の階層のメニューであって、第３階層のメニュー）を表示させる。（４）そして、リモコン４のカーソルキー４３ａ、４３ｂ及び選択キー４７を操作して、一括削除メニュー１５０内の番組リスト１５３から削除する複数のテレビジョン番組を選択し、（５）リモコン４の実行キー４８を操作する。これにより、ユーザにより選択された複数のテレビジョン番組が一括削除される。
【００６４】
また、例えば、設定を変更するときには、ユーザは、以下のような操作をする。（１）まず、リモコン４のメニューキー４４を操作して、セットアップメニュー１００（第１階層のメニュー）を表示させる。（２）続いて、リモコン４のカーソルキー４３ａ、４３ｂを操作して、セットアップメニュー１００内のカーソル１０３をセットアップメニュー１０３内の選択項目１０２ｄ（設定変更メニュー１４０を表示させるための選択項目）上に移動させて、リモコン４の実行キー４８を操作することにより、設定変更メニュー１４０（セットアップメニューの下位の階層のメニューであって、第２階層のメニュー）を表示させる。（３）さらに、リモコン４のカーソルキー４３ａ、４３ｂを操作して、設定変更メニュー１４０内のカーソル１４３を設定変更メニュー１４０内の選択項目１４２ａ〜１４２ｃのいずれかの上に移動させて、リモコン４の実行キー４８を操作することにより、設定変更メニュー１４０の下位の階層のメニュー（不図示）（第３階層のメニュー）を表示させる。（４）そして、リモコン４を操作して、設定変更の内容を選択し、（５）リモコン４の実行キー４８を操作する。これにより、ユーザにより選択された内容の設定変更が行われる。
【００６５】
また、システム制御部３０は、ユーザによるリモコン４の操作に基いて、短縮キー４５の操作に、ユーザの指定したメニューであるユーザ指定メニューを表示させるための操作を割当てる。ユーザ指定メニューは、複数の第２階層のメニュー（録画メニュー１１０、再生メニュー１２０、削除メニュー１３０、設定変更メニュー１４０）及び複数の第３階層メニュー（一括削除メニュー１５０、個別削除メニュー（不図示）、録画メニュー１１０の下位の階層のメニュー（不図示）、再生メニュー１２０の下位の階層のメニュー（不図示）、設定変更メニュー１４０の下位の階層のメニュー（不図示））のうち、ユーザが任意に指定したメニューである。
【００６６】
システム制御部３０は、ユーザによるリモコン４の操作に基いて、操作割当メニューを表示する。操作割当メニューは、短縮キー４５への操作の割当て（ユーザ指定メニューを表示させるための操作の割当て）を指示するための操作をユーザに案内するメニューである。そして、システム制御部３０は、操作割当メニューが表示されているときに、ユーザによりリモコン４が操作割当メニューの案内に従って操作されると、その操作に基いて、短縮キー４５の操作に、ユーザ指定メニューを表示させるための操作を割当てる。
【００６７】
図６は、操作割当メニューの表示例を示す。操作割当メニュー１６０は、メニュー名１６１と、案内メッセージ１６２と、複数の選択項目１６３ａ、１６３ｂ、１６３ｃ、１６３ｄ、１６３ｅ、１６３ｆと、カーソル１６４とを含んでいる。メニュー名１６１は、表示されているメニューの種類をユーザに伝えるためのものであり、表示されているメニューの種類を示す「操作割当メニュー」の文字列から成っている。案内メッセージ１６２は、「短縮キーの操作に割当てる操作を選択してください」の文字列から成っている。選択項目１６３ａ〜１６３ｆは、各々、ユーザが短縮キー４５の操作に割当てる操作を選択する（すなわち、ユーザがユーザ指定メニューを指定する）ために選択する選択項目であり、割当てる操作を示す文字列から成っている。カーソル１６４は、ユーザが複数の選択項目１６３ａ〜１６３ｆの中のいずれかを選択するために利用するものであり、ユーザによりリモコン４の操作によって、その表示位置が移動するようになっている。
【００６８】
システム制御部３０は、リモコン４の割当キー４６が操作されると、操作割当メニュー１６０を表示する。システム制御部３０は、操作割当メニュー１６０を表示しているときに、リモコン４のカーソルキー４３ａ、４３ｂが操作されると、その操作に応じて、操作割当メニュー１６０内のカーソル１６４を移動させる。すなわち、システム制御部３０は、カーソルキー４３ｂが１回操作される毎に、カーソル１６４を１つ下の選択項目に重なるように移動させ、また、カーソルキー４３ａが１回操作される毎に、カーソル１６４を１つ上の選択項目に重なるように移動させる。
【００６９】
そして、システム制御部３０は、操作割当メニュー１６０を表示しているときに、リモコン４の実行キー４８が操作されると、そのときにカーソル１６４が重なっている選択項目をユーザが選択したと判断し、そのときにカーソル１６４が重なっている選択項目に対応する操作を、短縮キー４５の操作に割当てる。すなわち、そのときにカーソル１６４が重なっている選択項目に対応する操作によって表示されるメニューが、ユーザ指定メニューとして指定されたと判断し、その指定されたユーザ指定メニューを表示する操作（そのときにカーソル１６４が重なっている選択項目に対応する操作）を、短縮キー４５の操作に割当てる。このとき、システム制御部３０は、短縮キー４５の操作に割当てた操作を示す操作割当情報をメモリ２７に記憶する。
【００７０】
例えば、操作割当メニュー１６０を表示しているときに、選択項目１６３ｃが選択されると（カーソル１６４が選択項目１６３ｃに重なっている状態で、実行キー４８が操作されると）、一括削除メニュー１５０がユーザ指定メニューとして指定されたと判断し、短縮キー４５の操作に、一括削除メニュー１５０を表示させるための操作を割当てて、その操作割当情報（短縮キー４５の操作に割当てた操作が一括削除メニュー１５０を表示させるための操作であることを示す情報）をメモリ２７に記憶する。
【００７１】
また、例えば、操作割当メニュー１６０を表示しているときに、選択項目１６３ｅが選択されると（カーソル１６４が選択項目１６３ｅに重なっている状態で、実行キー４８が操作されると）、システム制御部３０は、設定変更メニュー１４０がユーザ指定メニューとして指定されたと判断し、短縮キー４５の操作に、設定変更メニュー１４０を表示させるための操作を割当てて、その操作割当情報（短縮キー４５の操作に割当てた操作が設定変更メニュー１４０を表示させるための操作であることを示す情報）をメモリ２７に記憶する。
【００７２】
システム制御部３０は、このようにして、ユーザによるリモコン４の操作に基いて、短縮キー４５の操作に、ユーザの指定したメニューであるユーザ指定メニューを表示させるための操作を割当てる。メモリ２７、プログラム記憶部２８、及びシステム制御部３０によって、操作割当手段が構成されている。
【００７３】
システム制御部３０は、ユーザによりリモコン４の短縮キー４５が操作されると、メモリ２７に記憶している操作割当情報に基いて、短縮キー４５の操作に割当てられた操作に対応する動作を実行して、ユーザ指定メニューを表示する。
【００７４】
例えば、短縮キー４５の操作に割当てられている操作が、一括削除メニュー１５０を表示させるための操作である場合（すなわちユーザ指定メニューが一括削除メニュー１５０である場合）には、ユーザによりリモコン４の短縮キー４５が操作されると、システム制御部３０は、セットアップメニュー１００及び削除メニュー１３０を表示することなく、一括削除メニュー１５０を表示する。従って、この場合、ユーザは、短縮キー４５を操作するだけで、一括削除メニュー１５０を表示させることができる。
【００７５】
また、例えば、短縮キー４５の操作に割当てられている操作が、設定変更メニュー１４０を表示させるための操作である場合（すなわちユーザ指定メニューが設定変更メニュー１４０である場合）には、ユーザによりリモコン４の短縮キー４５が操作されると、セットアップメニュー１００を表示することなく、設定変更メニュー１４０を表示する。従って、この場合、ユーザは、短縮キー４５を操作するだけで、設定変更メニュー１４０を表示させることができる。
【００７６】
また、システム制御部３０により表示されるメニューには、ユーザが次の階層のメニューを表示させるために選択する複数の次メニュー選択項目を有する次メニュー選択メニューがある。セットアップメニュー１００の選択項目１０２ａ〜１０２ｄは、各々、ユーザが次の階層（セットアップメニュー１００の下位の階層）のメニューを表示させるために選択する選択項目であり、次メニュー選択項目である。従って、セットアップメニュー１００は、次メニュー選択メニューである。また、録画メニュー１１０の選択項目１１２ａ〜１１２ｃも、各々、ユーザが次の階層（録画メニュー１１０の下位の階層）のメニューを表示させるために選択する選択項目であり、次メニュー選択項目である。従って、録画メニュー１１０も、次メニュー選択メニューである。同様に、再生メニュー１２０、削除メニュー１３０、設定変更メニュー１４０も、次メニュー選択メニューである。
【００７７】
また、システム制御部３０は、次メニュー選択メニュー内の各選択項目（次メニュー選択項目）のユーザによる選択回数を計数して、それら各選択項目のユーザによる過去の選択回数をメモリ２７に記憶する。すなわち、システム制御部３０は、セットアップメニュー１００の選択項目１０２ａ〜１０２ｄ、録画メニュー１１０の選択項目１１２ａ〜１１２ｃ、再生メニュー１２０の選択項目１２２ａ、１２２ｂ、削除メニュー１３０の選択項目１３２ａ、１３２ｂ、設定変更メニュー１４０の選択項目１４２ａ〜１４２ｃのそれぞれについて、ユーザによる選択回数を計数して、ユーザによる過去の選択回数をメモリ２７に記憶する。メモリ２７、プログラム記憶部２８及びシステム制御部３０によって、選択回数記憶手段が構成されている。
【００７８】
そして、システム制御部３０は、次メニュー選択メニューを表示するとき、その次メニュー選択メニューを、その次メニュー選択メニューの複数の次メニュー選択項目をメモリ２７に記憶している過去の選択回数の多い順に並べた態様で表示する。また、このとき、システム制御部３０は、メニュー内のカーソルを過去の選択回数の最も多い選択項目上に重ねて表示する。
【００７９】
すなわち、システム制御部３０は、セットアップメニュー１００を表示するときには、メモリ２７に記憶している選択項目１０２ａ〜１０２ｄの過去の選択回数に基いて、選択項目１０２ａ〜１０２ｄを過去の選択回数の多い順に並べると共に、カーソル１０３を選択項目１０２ａ〜１０２ｄのうち過去の選択回数の最も多い選択項目に重ねた態様で、セットアップメニュー１００を表示する。このとき、例えば、選択項目１０２ａ〜１０２ｄの過去の選択回数の多い順が、選択項目１０２ｃ、選択項目１０２ｄ、選択項目１０２ｂ、選択項目１０２ａの順であれば、図７（ａ）に示すように、選択項目１０２ａ〜１０２ｄを選択項目１０２ｃ、選択項目１０２ｄ、選択項目１０２ｂ、選択項目１０２ａの順に並べると共に、カーソル１０３を選択項目１０２ｃに重ねた態様で、セットアップメニュー１００を表示する。従って、この場合、ユーザは、削除メニュー１３０を表示させる（選択項目１０２ｃを選択する）のであれば、カーソルキー４３ａ、４３ｂを操作する必要がなく、実行キー４８を操作するだけでよい。
【００８０】
また、削除メニュー１３０を表示するときには、メモリ２７に記憶している選択項目１３２ａ、１３２ｂの過去の選択回数に基いて、選択項目１３２ａ、１３２ｂを過去の選択回数の多い順に並べると共に、カーソル１３３を選択項目１３２ａ、１３２ｂのうち過去の選択回数の多い方の選択項目に重ねた態様で、削除メニュー１３０を表示する。このとき、例えば、選択項目１３２ａ、１３２ｂの過去の選択回数の多い順が、選択項目１３２ｂ、選択項目１３２ａの順であれば、図７（ｂ）に示すように、選択項目１３２ａ、１３２ｂを選択項目１３２ｂ、選択項目１３２ａの順に並べると共に、カーソル１３３を選択項目１３２ｂに重ねた態様で、削除メニュー１３０を表示する。従って、この場合、ユーザは、一括削除メニュー１５０を表示させる（選択項目１３２ｂを選択する）のであれば、カーソルキー４３ａ、４３ｂを操作する必要がなく、実行キー４８を操作するだけでよい。
また、録画メニュー１１０、再生メニュー１２０、設定変更メニュー１４０を表示するときも同様である。
【００８１】
図８，図９、図１０は、光ディスクレコーダ１の動作フローチャートを示す。システム制御部３０は、リモコン４のメニューキー４４が操作されると（＃１でＹＥＳ）、選択項目１０２ａ〜１０２ｄを過去の選択回数の多い順に並べると共に、カーソル１０３を選択項目１０２ａ〜１０２ｄのうち過去の選択回数の最も多い選択項目に重ねた態様でセットアップメニュー１００を表示する（＃２）。
【００８２】
続いて、ユーザによるリモコン４の操作が行われ（＃３でＹＥＳ）、そのユーザによるリモコン４の操作がメニュー内の選択項目を選択する操作であれば（＃４でＹＥＳ）、システム制御部３０は、選択された選択項目の選択回数を「１」加算する（＃５）。例えば、＃３でセットアップメニュー１００の選択項目１０２ｃが選択された場合には、選択項目１０２ｃの選択回数を「１」加算する。
【００８３】
そして、＃４で選択項目が選択されたことにより表示する次の階層のメニューが、次メニュー選択メニューであれば（＃６でＹＥＳ）、システム制御部３０は、次の階層のメニューを、選択項目を過去の選択回数の多い順に並べると共に、カーソルを過去の選択回数の最も多い選択項目に重ねた態様で表示する（＃７）。例えば、＃４で選択項目が選択されたことにより表示する次の階層のメニューが、削除メニュー１３０である場合には、削除メニュー１３０は次メニュー選択メニューであるため、＃６でＹＥＳとなる。従って、この場合には、＃７において、削除メニュー１３０を、選択項目１３２ａ、１３２ｂを過去の選択回数の多い順に並べると共に、カーソル１３３を選択項目１３２ａ、１３２ｂのうち過去の選択回数の多い方の選択項目に重ねた態様で表示する。
【００８４】
＃７でメニューを表示した後、システム制御部３０は、上記＃３以降の処理を繰り返す。＃３以降の処理を繰り返しているときにおいて、＃４で選択項目が選択されたことにより表示する次の階層のメニューが、次メニュー選択メニューでなければ（＃６でＮＯ）、システム制御部３０は、次の階層のメニューを、規定の態様で表示する（＃８）。例えば、＃４で選択項目が選択されたことにより表示する次の階層のメニューが、一括削除メニュー１５０である場合には、一括削除メニュー１５０は次メニュー選択メニューでないため、＃６でＮＯとなる。従って、この場合には、＃８において、一括削除メニュー１５０を、規定の態様で表示する。
【００８５】
そして、＃８でメニューを表示した後、ユーザによるリモコン４の操作が行われると（＃９でＹＥＳ）、システム制御部３０は、ユーザによるリモコン４の操作に対応する動作を実行する（＃１０）。例えば、＃８で一括削除メニュー１５０を表示しているときに、＃９でユーザによりテレビジョン番組を削除する操作が行われた場合（すなわち、一括削除メニュー１５０内の番組リスト１５３のタイトルが選択されている状態で、リモコン４の実行キー４８が操作された場合）には、＃１０において、ユーザによるリモコン４の操作に対応する動作として、テレビジョン番組を削除する。また、例えば、＃９でリモコン４の終了キー４９が操作された場合には、＃１０において、ユーザによるリモコン４の操作に対応する動作として、メニューの表示を終了（又は、上位の階層のメニューを表示）する。
【００８６】
なお、上記＃４において、ユーザによるリモコン４の操作がメニュー内の選択項目を選択する操作でなければ（＃４でＮＯ）、システム制御部３０は、ユーザによるリモコン４の操作に対応する動作を実行する（＃１０）。例えば、リモコン４の終了キー４９が操作された場合には、その操作は選択項目を選択する操作でないため、＃４でＮＯとなる。従って、この場合には、＃１０において、ユーザによるリモコン４の操作に対応する動作として、メニューの表示を終了（又は、上位の階層のメニューを表示）する。
【００８７】
また、ユーザによりリモコン４の割当キー４６が操作されると（＃１１でＹＥＳ）、システム制御部３０は、操作割当メニュー１６０を表示する（＃１２）。そして、ユーザにより短縮キー４５の操作に割当てる操作が選択されると（すなわち、操作割当メニュー１６０内のカーソル１６４が選択項目１６３ａ〜１６３ｆの中のいずれかに重なっている状態で、リモコン４の実行キー４８が操作されると）（＃１３でＹＥＳ）、システム制御部３０は、短縮キー４５の操作に、選択された操作（すなわち、カーソル１６４が重なっている選択項目に対応する操作）を割当てる（＃１４）。例えば、短縮キー４５の操作に割当てる操作として、一括削除メニュー１５０を表示させるための操作が選択された場合には、一括削除メニュー１５０がユーザ指定メニューとなり、短縮キー４５の操作に、一括削除メニュー１５０（ユーザ指定メニュー）を表示させるための操作を割当てる。
【００８８】
また、ユーザによりリモコン４の短縮キー４５が操作されると（＃１５でＹＥＳ）、システム制御部３０は、短縮キー４５の操作に割当てられている操作に対応する動作を実行することにより表示するユーザ指定メニューが、次メニュー選択メニューであるか否かを判断する（＃１６）。
【００８９】
そして、ユーザ指定メニューが次メニュー選択メニューであれば（＃１６でＹＥＳ）、システム制御部３０は、ユーザ指定メニューを、選択項目を過去の選択回数の多い順に並べると共に、カーソルを過去の選択回数の最も多い選択項目に重ねた態様で表示する（＃１７）。例えば、ユーザ指定メニューが、設定変更メニュー１４０である場合（すなわち、短縮キー４５の操作に割当てられている操作が、設定変更メニュー１４０を表示させるための操作である場合）には、設定変更メニュー１４０は次メニュー選択メニューであるため、＃１６でＹＥＳとなる。従って、この場合には、＃１７において、設定変更メニュー１４０を、選択項目１４２ａ、１４２ｂを過去の選択回数の多い順に並べると共に、カーソル１４３を選択項目１４２ａ、１４２ｂのうち過去の選択回数の多い方の選択項目に重ねた態様で表示する。＃１７でメニューを表示した後、システム制御部３０は、上記＃３以降の処理を繰り返す。
【００９０】
一方、ユーザ指定メニューが次メニュー選択メニューでなければ（＃１６でＮＯ）、システム制御部３０は、ユーザ指定メニューを、規定の態様で表示する（＃１８）。例えば、ユーザ指定メニューが、一括削除メニュー１５０である場合（すなわち、短縮キー４５の操作に割当てられている操作が、一括削除メニュー１５０を表示させるための操作である場合）には、一括削除メニュー１５０は次メニュー選択メニューでないため、＃１６でＮＯとなる。従って、この場合には、＃１８において、一括削除メニュー１５０を、規定の態様で表示する。＃１８でメニューを表示した後、システム制御部３０は、上記＃９以降の処理を行う。
【００９１】
このような構成の光ディスクレコーダ１によれば、リモコン４の短縮キー４５の操作に、ユーザ指定メニュー（複数の第２階層のメニュー及び複数の第３階層メニューのうち、ユーザの指定したメニュー）を表示させるための操作を割当てておくことにより、ユーザは、リモコン４の短縮キー４５を操作するだけで、そのユーザ指定メニューを表示させることができる。すなわち、ユーザは、リモコン４の短縮キー４５を操作することにより、そのユーザ指定メニューを従来の手順で表示させるときの一連の操作を短縮して行えることになる。従って、少ない操作回数で下位の階層のメニューを表示させることができ、操作性を向上させることができる。
【００９２】
しかも、ユーザは、操作割当メニュー１６０の案内に従ってリモコン４を操作するだけで、短縮キー４５の操作に、ユーザ指定メニューを表示させるための操作を割当てることができる。従って、簡単な操作によって、短縮キー４５の操作に、ユーザ指定メニューを表示させるための操作を割当てることができ、使い勝手が良い。
【００９３】
また、表示されるメニューが複数の次メニュー選択項目（ユーザが次の階層のメニューを表示させるために選択する選択項目）を有する場合には、それら複数の次メニュー選択項目が、ユーザによる過去の選択回数の多い順に並べられると共に、カーソルが、ユーザによる過去の選択回数の最も多い選択項目に重ねられた態様で表示される。これにより、ユーザは、メニュー内の複数の次メニュー選択項目の中から、過去の選択回数の多い次メニュー選択項目を選択する場合（すなわち、使用頻度の高いメニューを表示させる場合）、メニュー内のカーソルを移動させる操作が少なくて済む。従って、少ない操作回数で使用頻度の高いメニューを表示させることができ、操作性を向上させることができる。
【００９４】
なお、本発明は、上記実施形態の構成に限られず、種々の変形が可能である。例えば、短縮キーを複数個設けて、各短縮キーの操作に、ユーザ指定メニューを表示させるための操作を割り当てるようにしてもよい。また、短縮キーの操作に限られず、短縮キー以外のいずれかの操作キーの操作に、ユーザ指定メニューを表示させるための操作を割り当てるようにしてもよい。また、操作割当メニューは、セットアップメニューの下位の階層のメニュー、又は、設定変更メニューの下位の階層のメニューとして表示されるようになっていてもよい。また、次メニュー選択メニューを、選択項目を過去の選択回数の多い順に並べた態様で表示することに代えて、過去に最も選択回数の多い選択項目に対応する動作を実行するか否かを質問する質問文を表示するようにしてもよい。また、本発明は、光ディスクレコーダに限られず、テレビジョン受像機やゲーム機等、動作を指示するための操作をユーザに案内するメニューを表示する機能を備える電子機器装置であれば、どのような電子機器装置にも適用可能である。
【符号の説明】
【００９５】
１    光ディスクレコーダ（電子機器装置）
２    光ディスク
３    光ディスクレコーダ本体
４    リモコン（操作手段）
５    モニタ
１１    キー操作部
１２    投光部
１３    メモリ
１４    リモコン制御部
２１    テレビジョン受信部
２２    フロントエンド部
２３    信号処理部
２４    ＯＳＤ処理部
２５    ＡＶ信号ＤＡ変換部
２６    情報比較部
２７    メモリ（選択回数記憶手段）
２８    プログラム記憶部（メニュー表示手段、操作割当手段、選択回数記憶手段）
２９    受光部
３０    システム制御部（メニュー表示手段、操作割当手段、選択回数記憶手段）
４１    電源キー
４２    数字キー
４３ａ、４３ｂ、４３ｃ、４３ｄ    カーソルキー
４４    メニューキー
４５    短縮キー
４６    割当キー
４７    選択キー
４８    実行キー
４９    終了キー
１００    セットアップメニュー（第１階層のメニュー）
１１０    録画メニュー（第２階層のメニュー）
１２０    再生メニュー（第２階層のメニュー）
１３０    削除メニュー（第２階層のメニュー）
１４０    設定変更メニュー（第２階層のメニュー）
１５０    一括削除メニュー（第３階層のメニュー）
１６０    操作割当メニュー
【図１】
2012123502.tif 000003
【図２】
2012123502.tif 000004
【図３】
2012123502.tif 000005
【図４】
2012123502.tif 000006
【図５】
2012123502.tif 000007
【図６】
2012123502.tif 000008
【図７】
2012123502.tif 000009
【図８】
2012123502.tif 000010
【図９】
2012123502.tif 000011
【図１０】
2012123502.tif 000012